(57)【要約】【課題】屋形テントの設営における天幕取付け作業を簡便化し、作業者・使用者の負担を大幅に軽減するとともに、頑丈かつ綺麗に張れる屋形テントを提供する。【解決手段】天幕１の四辺内周に配設された布帯内を貫通する布帯内ライン３Ｂと、布帯内ライン３Ｂを張引し天幕１とフレーム群を接続するライン張引装置と、を有する。  布帯内ライン３Ｂは帯裏に配設された各孔から各端が外出し、前記ライン張引装置の一端は４隅に隣接するフレーム屋根合掌材１０に固定され、前記布帯内ライン３Ｂの一端を前記ライン張引装置の上部に係止・仮固定し他端を隣接するライン張引装置の中央部に係止・張引し、同ライン張引装置の下端をフレーム柱７に係止することにより天幕１をフレーム群に強着させる。  前記ライン張引装置は、フレーム屋根合掌材１０との着設箇所に配設された方向変換機１２と、方向変換機１２より突出する棒状のレバー１３より成る。【選択図】図１
2019027266.tif 000002
【特許請求の範囲】
【請求項１】
フレーム柱、フレーム梁、フレーム屋根合掌材及びフレーム嶺材より成るフレーム群並びに天幕によって構成される屋形テントであって、
前記天幕の布帯内を貫通する布帯内ラインと、
前記布帯内ラインを張引し前記天幕と前記フレーム群を接続するライン張引装置と、を有することを特徴とする屋形テント。
【請求項２】
前記布帯内ラインは前記布帯の両端近傍の帯裏に配設された各孔から各端が外出し、
前記ライン張引装置の一端は前記フレーム梁が水平方向に形成する四角形の４隅に隣接する前記フレーム屋根合掌材に着設され、
前記孔から外出する前記布帯内ラインの一端を前記ライン張引装置の方向変換器とレバーの連結個所に係止・仮固定し、他端を隣接する前記ライン張引装置中のレバー中央部に係止・張引し、
前記ライン張引装置の下端を前記フレーム柱に係止する、
ことにより前記天幕を前記フレーム群に強着させることを特徴とする請求項１記載の屋形テント。
【請求項３】
前記ライン張引装置は、
前記フレーム屋根合掌材との前記着設箇所に配設された方向変換機と、
前記方向変換機より突出する棒状のレバーと、
を有し、前記布帯内ラインの前記一端を前記レバーに係止し、前記方向変換機を支点とし前記レバーの他端を前記布帯内ラインの締め付け方向に握動することにより前記布帯内ラインを張引し前記天幕を前記フレーム群に強着させることを特徴とする請求項１又は２記載の屋形テント。
【請求項４】
前記屋形テントは、前記天幕の前記布帯と前記フレーム梁とを更に強着させるための補助的接続具を有することを特徴とする請求項１乃至３のいずれかに記載の屋形テント。
【発明の詳細な説明】
【技術分野】
【０００１】  本発明はフレームへの天幕取付け作業の省力化を可能とする屋形テントに関する。
【背景技術】
【０００２】  従来の屋形テントにおいて、天幕をフレームへ取付けるには、天幕内周に溶着された布帯を、紐又はバックル付バンドで金属フレーム中の梁に締め付ける方法が一般的であった。以下、図２により説明する。【０００３】  図２（ｂ）は天幕の斜視図である。天幕１の４辺内周には布帯２が熱溶着されている。図２（ｃ）は金属フレームの骨組みを示す斜視図であって、梁６、柱７、梁受け８、補強用頬杖９、屋根合掌材１０、屋根嶺材１１で構成されている。【０００４】  天幕１の金属フレームへの取付けに際しては、図２（ｂ）の布帯２を、図２（ｃ）のフレーム梁６に接続する。図２（ａ）左図は天幕内から見た布帯２の正面拡大図、図２（ａ）右図は布帯２の長手方向断面図である。図に示すように、布帯２はＵ字曲げに袋縫いされており、袋底には補強ロープ３Ａが通されている。また、その上に複数のハトメ４が水平方向に約４５ｃｍ間隔で配設されている。さらに、ハトメ４には各々、紐５が結着されており、天幕取付け時には紐５を梁６に縛りつける。紐５に代え、バックル付き布ベルトを布帯に縫い付ける方式のものも市販されている。【０００５】  図２（ｃ）に示すように、フレーム梁６等の下部部材はブロック化されるが、屋根合掌材１０等の上部部材は、天幕１を取り付ける前は、柱７の上端に差込まれた状態で、自重で前記下部部材の上に乗っているだけである。従って、前記上部部材上に天幕１を被せ、布帯２を紐５によって梁６に縛り付けることによって、はじめて全体が一体化するのである。【０００６】  上述したように、屋形テントの設営における天幕１の取付けは、布帯２のハトメ４に設置された紐５を梁６に縛り付ける作業によって完結するが、ハトメ４の数は、国内消費の大半を占める２間ｘ３間（６坪）テントの場合で、約４０ケ所あり、高い手の位置で頭を反らして行う紐縛りの作業は大きな負担となっている。特に、多数のテントを使用するイベント用の場合には、会場使用日時の制約上、突貫設営と成るのが常で、作業者への負荷共々使用者のコスト負担は大きく、省力化が大きな課題となっている。【０００７】  上述の問題に鑑み、本発明においては、屋形テントの設営における天幕取付け作業を簡便化し、作業者・使用者の負担を大幅に軽減するとともに、頑丈かつ綺麗に張れる屋形テントを提供することを課題とする。
【課題を解決するための手段】
【０００８】  前記課題を解決するために、請求項１記載の屋形テントは、フレーム柱、フレーム梁、フレーム屋根合掌材及びフレーム嶺材より成るフレーム群並びに天幕によって構成され、前記天幕の四辺内周に配設された布帯内を貫通する布帯内ラインと、前記布帯内ラインを張引し前記天幕と前記フレーム群を接続するライン張引装置と、を有することを特徴とする。
【０００９】  請求項２記載の屋形テントは、請求項１に記載の屋形テントであって、前記布帯内ラインは前記布帯の各辺両端近傍の帯裏に配設された各孔から各端が外出し、前記ライン張引装置の一端は前記フレーム梁が水平方向に形成する四角形の４隅に隣接する前記合掌材に着設され、前記孔から外出する前記布帯内ラインの一端を前記ライン張引装置の付け根部に係止・仮固定し他端を隣接隅ライン張引装置の上部湾曲部以下の位置に係止・張引し、前記ライン張引装置の他端を前記フレーム柱に係止する、ことにより前記天幕を前記フレーム群に強着させることを特徴とする。
【００１０】  請求項３記載の屋形テントは、請求項１又は２に記載の屋形テントであって、前記ライン張引装置は、前記フレーム屋根合掌材との前記着設箇所に配設された方向変換機と、前記方向変換機より突出する棒状のレバーと、を有し、前記布帯内ラインの前記各端を前記レバーに係止し、前記方向変換機を支点とし前記レバーの他端を前記布帯内ラインの締め付け方向に握動することにより前記布帯内ラインを張引し前記天幕を前記フレーム群に強着させることを特徴とする。
【００１１】  請求項４記載の屋形テントは、請求項１乃至３のいずれかに記載の屋形テントであって、前記天幕の前記布帯と前記フレーム梁とを更に強着させるための補助的接続具を有することを特徴とする。
【発明の効果】
【００１２】  本発明に係る屋形テントの使用により、従来のテント設営時に行っていた、高い手の位置で頭を反らして行う紐縛りの作業のほとんどが不必要となり、屋形テントの省力設営が可能となる。これにより、作業者の労力軽減が可能となる。
【００１３】  本発明に係る屋形テントの使用により、設営に要する人員と時間の大幅な短縮が可能となり、使用者及びイベント運営者のコスト負担が大幅に減少する。
【００１４】  従来の屋形テントが天幕とフレームを縦方向に結着させるのに対し、本発明に係る屋形テントはライン張引装置により布帯内ラインを水平方向に張引しフレームに接続させる手法をとることにより、天幕とフレーム群とがより強固に一体化された屋形テントが実現する。
【図面の簡単な説明】
【００１５】
【図１】本実施形態に係る屋形テントの、（ａ）天幕内周布帯の正面拡大図（左図）と長手方向断面図（右図）、（ｂ）ライン張引装置のフレームへの装着状態を示す模式図であって、右端と下端に直角方向から見た部分図を配してある。
【図２】従来の屋形テントの構成のうち、（ａ）天幕内周布帯の正面および側面図、（ｂ）天幕の外観図、（ｃ）フレームの構成図、である。
【発明を実施するための形態】
【００１６】  以下、本発明の実施形態を図１に基づいて説明する。
【００１７】  図１（ａ）左図は天幕１の四辺内周に配設された布帯２の正面拡大図、右図は長手方向断面図である。Ｕ字曲げ袋縫いした内底に高張力のライン３Ｂが貫通している。また、布帯２の両端近傍にハトメ４を打って、ライン３Ｂの各端をハトメ４手前の帯裏に開けた小孔から取出し、ハトメを潜らせて、各端に掛け金１５Ａと１５Ｂ（両者は同一部品ながら以下図上説明の便宜上区分）を結着させておく。
【００１８】  図１（ｂ）はライン張引装置のフレーム群への装着状態を示す模式図である。ライン張引装置は方向変換機１２とレバー１３より成り、フレーム４隅の屋根合掌材１０に方向変換機１２が着設されている。本ライン張引装置は、方向変換機１２から突出するレバー１３を握動することによって、これに係止されるライン３Ｂを張引しフレーム群と天幕１を接続する機構部品である。方向変換機１２は、図１（ｂ）に示すように、カップの底に孔を開けたイメージのプレス品の中に鋼球を封じ込めた部品で、前記鋼球とレバー１３の一端が溶接で繋がっている。前記鋼球が前記プレス品内で回動することによりレバー１３の自在方向への動きが可能となる。また、レバー１３の途中には前記掛け金１５Ｂを係止するためのワッシャー１４が複数配設されている。
【００１９】  次に前記ライン張引装置の接続手順を説明する。
先ず、テント４隅中でスタートとなる１隅の方向変換器１２とレバー１３の連結部に掛け金１５Ａを係止する。
隣接第２隅に移り、レバー１３を図の右に振って同辺ライン他端の１５Ｂをレバー上部湾曲部か、その下ワッシャー１４の何れか（ライン３Ｂの張力加減上適度な位置）に係止する。
続けて、レバー１３をテントコーナーすなわち図の左に引き寄せ、その下端フック部をフレーム柱７（フレーム梁受け８の下の部分）にかける。
最後に、同隅において第２辺目のスタートとなる掛け金１５Ａを同じレバーの前述方向変換器との連結部に係止する。
【００２０】  上述の作業を隣のコーナーでも同様に行い、４個所で一周する。この結果、レバー１３をテコとして、天幕内周布帯２の４辺に強力に張った布帯内ライン３Ｂが、本ライン張引装置を介して４隅でフレーム柱７に接続される。
【００２１】  本屋形テントの特徴は、第１に、ライン張引装置の上記操作のみで天幕とフレーム群との接続を可能とする作業の簡便化にあり、第２に、天幕とフレーム群との強固な一体化にある。これらの特徴は、ラインを水平方向に張って天幕内周布帯を固める着想と、テコ原理で自在方向に動くレバーとによって実現した。具体的には、従来の屋形テントは天幕１の天幕内周布帯２とフレーム梁６を紐で結着させていたが、本発明においては、各辺布帯内ライン３Ｂの両端が夫々掛け金１５Ａ，１５Ｂを介してフレーム屋根合掌材１０に着設されているライン張引装置１２，１３に、そして、ライン張引装置の下端（フック部）がフレーム柱７に接続され、レバー１３を使用して布帯内ライン３Ｂを張引するといった簡単な操作によって一体化が実現する。
【００２２】  本発明に係る屋形テントは、上述４隅での固定により耐風圧処置は完了済みであるが、天幕端辺のめくれ上がりや雨水の溜まりを防止し、ピンと張った外観を保つ目的で、周囲数箇所において、天幕周辺とフレーム梁を繋ぐための補助的接続具を付設させることも可能である。
【符号の説明】
【符号の説明】
【００２３】１  天幕
２  天幕内周布帯
３Ａ  布帯内ロープ（従来品）
３Ｂ  布帯内ライン（発明品）
４    ハトメ
６    フレーム梁
７    フレーム柱
８    フレーム梁受け
９    フレーム方杖
１０  フレーム屋根合掌材
１１  フレーム屋根嶺材
１２  方向変換器
１３  レバー
１４  ワッシャー
１５Ａ  掛け金（固定側）
１５Ｂ  掛け金（張引側）
【図１】
2019027266.tif 000003
【図２】
2019027266.tif 000004